(57)【要約】【課題】移動通信システムにおいて、基地局を新設又は廃止などの無線環境の変化に伴う、符号化方式の設定のコストを削減するための技術を提供する。【解決手段】符号化方式選択装置１０は、複数の移動局端末の通信品質を算出する通信品質算出部１００と、通信品質算出部１００によって算出された複数の移動局端末の通信品質を集計し一の通信品質を基準通信品質として出力する基準通信品質出力部１２０と、基準通信品質出力部１２０によって算出された基準通信品質に基づいて、所定の移動局端末の符号化方式を選択する符号化方式選択部１３０とを備える。【選択図】図１
2011044943.tif 000002
【特許請求の範囲】
【請求項１】
複数の移動局端末の通信品質を算出する通信品質算出部と、
前記通信品質算出部によって算出された前記複数の移動局端末の通信品質を集計し一の通信品質を基準通信品質として出力する基準通信品質出力部と、
前記基準通信品質出力部によって出力された前記基準通信品質に基づいて、所定の移動局端末の符号化方式を選択する符号化方式選択部と
を備えることを特徴とする符号化方式選択装置。
【請求項２】
セル内の通信確立後の複数の移動局端末の通信品質を算出する通信品質算出部と、
前記通信品質算出部によって算出された前記複数の移動局端末の通信品質を集計し一の通信品質を基準通信品質として出力する基準通信品質出力部と、
前記基準通信品質出力部によって出力された前記基準通信品質に基づいて、セル内の通信確立前の移動局端末の符号化方式を選択する符号化方式選択部と
を備えることを特徴とする符号化方式選択装置。
【請求項３】
複数の移動局端末の通信品質を算出する通信品質算出部と、
前記通信品質算出部によって算出された前記複数の移動局端末の通信品質を集計し一の通信品質を基準通信品質として出力する基準通信品質出力部と、
前記基準通信品質出力部によって出力された前記基準通信品質に基づいて、一斉報知信号の符号化方式を選択する符号化方式選択部と
を備えることを特徴とする符号化方式選択装置。
【請求項４】
前記基準通信品質出力部は、
前記複数の移動局端末の通信品質を確率変数とする累積分布関数を生成する累積分布関数生成部と、
前記累積分布関数生成部によって生成された前記累積分布関数の値が所定の基準値となるときの確率変数である通信品質を前記基準通信品質として抽出する基準通信品質抽出部と
を有することを特徴とする請求項１から請求項３の何れか１項に記載の符号化方式選択装置。
【請求項５】
前記基準通信品質出力部は、
前記複数の移動局端末の通信品質の平均値を前記基準通信品質として算出する基準通信品質算出部を有することを特徴とする請求項１から請求項３の何れか１項に記載の符号化方式選択装置。
【請求項６】
前記基準通信品質出力部は、
前記通信品質算出部によって算出された前記複数の移動局端末の通信品質を集計し一の通信品質を基準通信品質として出力することに代えて、前記通信品質算出部によって算出された前記複数の移動局端末の通信品質を集計して得る一の通信品質に所定のオフセットを加えた通信品質を前記基準通信品質として出力する
ことを特徴とする請求項１から請求項５の何れか１項に記載の符号化方式選択装置。
【請求項７】
移動局端末の符号化方式を選択するべき旨の命令を受け付ける命令受付手段と、
前記命令受付手段によって一の移動局端末の符号化方式を選択するべき旨の命令を受け付けた場合に、前記一の移動局端末と異なる他の複数の移動局端末の通信品質を集計し基準通信品質として出力する基準通信品質出力手段と、
前記基準通信品質出力手段によって出力された前記基準通信品質に基づいて、前記一の移動局端末の符号化方式を選択する符号化方式選択手段と
を備えることを特徴とする符号化方式選択装置。
【請求項８】
複数の移動局端末の通信品質を算出する通信品質算出手段と、
前記通信品質算出手段によって算出された前記複数の移動局端末の通信品質を集計し一の通信品質を基準通信品質として出力する基準通信品質出力手段と、
前記基準通信品質出力手段によって出力された前記基準通信品質に基づいて、所定の移動局端末の符号化方式を選択する符号化方式選択手段と
を有することを特徴とする符号化方式選択方法。
【請求項９】
移動局端末の符号化方式を選択する符号化方式選択装置のコンピュータに、
複数の移動局端末の通信品質を算出する通信品質算出ステップと、
前記通信品質算出ステップによって算出された前記複数の移動局端末の通信品質を集計し一の通信品質を基準通信品質として出力する基準通信品質出力ステップと、
前記基準通信品質出力ステップによって出力された前記基準通信品質に基づいて、所定の移動局端末の符号化方式を選択する符号化方式選択ステップと
を実行させることを特徴とするプログラム。
【発明の詳細な説明】
【技術分野】
【０００１】
本発明は、符号化方式選択装置、符号化方式選択方法およびプログラムに関する。
【背景技術】
【０００２】
基地局と移動端末が通信するセルラシステムにおいて、基地局を新設する際には、十分な通信品質が得られるように、基地局にて設定する運用のための種々のパラメータを調整する必要がある。一般に、パラメータの値は、事前の測定、シミュレーションなどによって決定する。
【０００３】
基地局にて設定するパラメータの１つは、符号化方式（変調方式、符号率から構成される）である。一般に、通信の確立後のデータ信号においては、時々刻々変化する無線伝搬路を推定し、適宜、所望品質を満たすような符号化方式が選択される（例えば、非特許文献１参照）。ところが、通信の確立前の信号（RACH（Random Access Channel）、PCCH（Paging Control Channel）など（例えば、特許文献１参照））においては、無線伝搬路を推定できず、また、全移動端末に報知する信号（BCCH（Broadcast Control Channel）（例えば、特許文献１参照））においては、伝搬路推定が難しい。従って、通信の確立前の信号や全移動端末に報知する信号などについては、個々の基地局の運用開始前に基地局毎に個別に、統計的に所望品質を満たすような符号化方式を検討し、検討した符号化方式を固定的に設定し使用している。
【先行技術文献】
【特許文献】
【０００４】
【特許文献１】特開２００８−２７１３２１号公報
【非特許文献】
【０００５】
【非特許文献１】“3rd Generation Partnership Project Technical Specification Group Radio Access Network Evolved Universal Terrestrial Radio Access and Evolved Universal Terrestrial Radio Access Network Overall description Stage2(Release 8)”3GPP TS36.300,v8.7.0.
【発明の概要】
【発明が解決しようとする課題】
【０００６】
しかしながら、事前設計時には統計的に所望品質を満たす符号化方式であっても、基地局の配置環境（基地局の位置、電力など）、建物の配置、トラヒック量などの変化により、所望品質を満たさなくなる、もしくは、過剰品質となる可能性がある。これは、これら変化により、受信信号電力や干渉信号電力などの無線環境が変化するためである。従って、基地局を新設する場合、通常、既存サービスエリア内への基地局の追加となるが、基地局の新設（追加）によって周囲の既存基地局（特に、新設する基地局に隣接する隣接基地局）の無線環境も変わるため、新設する基地局の符号化方式の調整（検討、設定）に加え、周囲の既存基地局の符号化方式の再調整（再検討、再設定）も必要となる。同様に、既存基地局を廃止する場合も、基地局の廃止によって周囲の基地局の無線環境が変わるため、上記問題が生じる。また、大きなビルの建設やトラヒック量の変化などによって無線環境に変化が生じた場合も、符号化方式の再調整が望ましく上記問題が生じる。
【０００７】
本発明は、このような事情に鑑みてなされたものであり、移動通信システムにおいて、基地局を新設又は廃止などの無線環境の変化に伴う、符号化方式の設定のコストを削減するための技術を提供することを目的とする。
【課題を解決するための手段】
【０００８】
上記問題を解決するために、本発明の一態様である符号化方式選択装置は、複数の移動局端末の通信品質を算出する通信品質算出部と、通信品質算出部によって算出された複数の移動局端末の通信品質を集計し一の通信品質を基準通信品質として出力する基準通信品質出力部と、基準通信品質出力部によって出力された基準通信品質に基づいて、所定の移動局端末の符号化方式を選択する符号化方式選択部とを備えることを特徴とする。
【０００９】
上記符号化方式選択装置において、通信品質算出部は、セル内の通信確立後の複数の移動局端末の通信品質を算出し、符号化方式選択部は、基準通信品質出力部によって出力された基準通信品質に基づいて、セル内の通信確立前の移動局端末の符号化方式を選択するようにしてもよい。
【００１０】
上記符号化方式選択装置において、符号化方式選択部は、基準通信品質出力部によって出力された基準通信品質に基づいて、一斉報知信号の符号化方式を選択するようにしてもよい。
【００１１】
上記符号化方式選択装置において、基準通信品質出力部は、複数の移動局端末の通信品質を確率変数とする累積分布関数を生成する累積分布関数生成部と、累積分布関数生成部によって生成された累積分布関数の値が所定の基準値となるときの確率変数である通信品質を基準通信品質として抽出する基準通信品質抽出部とを有するようにしてもよい。
【００１２】
上記符号化方式選択装置において、基準通信品質出力部は、複数の移動局端末の通信品質の平均値を基準通信品質として算出する基準通信品質算出部を有するようにしてもよい。
【００１３】
上記符号化方式選択装置において、基準通信品質出力部は、通信品質算出部によって算出された複数の移動局端末の通信品質を集計し一の通信品質を基準通信品質として出力することに代えて、通信品質算出部によって算出された複数の移動局端末の通信品質を集計して得る一の通信品質に所定のオフセットを加えた通信品質を基準通信品質として出力するようにしてもよい。
【００１４】
上記問題を解決するために、本発明の他の態様である符号化方式選択装置は、移動局端末の符号化方式を選択するべき旨の命令を受け付ける命令受付手段と、命令受付手段によって一の移動局端末の符号化方式を選択するべき旨の命令を受け付けた場合に、一の移動局端末と異なる他の複数の移動局端末の通信品質を集計し基準通信品質として出力する基準通信品質出力手段と、基準通信品質出力手段によって出力された基準通信品質に基づいて、一の移動局端末の符号化方式を選択する符号化方式選択手段とを備えることを特徴とする。
【００１５】
上記問題を解決するために、本発明の他の態様である符号化方式選択方法は、複数の移動局端末の通信品質を算出する通信品質算出手段と、通信品質算出手段によって算出された複数の移動局端末の通信品質を集計し一の通信品質を基準通信品質として出力する基準通信品質出力手段と、基準通信品質出力手段によって出力された基準通信品質に基づいて、所定の移動局端末の符号化方式を選択する符号化方式選択手段と
を有することを特徴とする。
【００１６】
上記問題を解決するために、本発明の他の態様であるプログラムは、移動局端末の符号化方式を選択する符号化方式選択装置のコンピュータに、複数の移動局端末の通信品質を算出する通信品質算出ステップと、通信品質算出ステップによって算出された複数の移動局端末の通信品質を集計し一の通信品質を基準通信品質として出力する基準通信品質出力ステップと、基準通信品質出力ステップによって出力された基準通信品質に基づいて、所定の移動局端末の符号化方式を選択する符号化方式選択ステップとを実行させることを特徴とする。
【発明の効果】
【００１７】
本発明によれば、自動的に通信の確立前の信号や一斉報知信号などの符号化方式を選択することができるようになるため、符号化方式の決定のための無線環境の事前測定やシミュレーションが不要となる。従って、基地局の新設又は廃止などの無線環境の変化に伴う、符号化方式の設定のコストを削減することができるようになる。また、通信品質の状況により使用する符号化方式が変わり、効率よく無線リソースを利用できるため、システム容量の増大につながるという効果も得ることができる。
【図面の簡単な説明】
【００１８】
【図１】本発明の第１の実施形態による符号化方式選択装置１０および本発明の第２の実施形態による符号化方式選択装置２０の機能ブロック図である。
【図２】通信品質算出部１００の機能を説明するための模式図である。
【図３】記憶部１１０の機能を説明するための模式図である。
【図４】累積分布関数生成部１２２の機能を説明するための模式図である。
【図５】符号化方式選択装置１０および符号化方式選択装置２０の動作の一例を示すフローチャートである。
【発明を実施するための形態】
【００１９】
（第１の実施形態）
以下、本発明の第１の実施形態について図面を参照して説明する。本発明の第１の実施形態による符号化方式選択装置１０は、例えば、移動通信システムの基地局内に設置される。符号化方式選択装置１０は、図１（ａ）に示すように、通信品質算出部１００、記憶部１１０、基準通信品質出力部１２０および符号化方式選択部１３０を備える。基準通信品質出力部１２０は、累積分布関数生成部１２２および基準通信品質抽出部１２４を備える。
【００２０】
通信品質算出部１００は、セル内の複数の移動局端末に係る参照信号品質情報（例えばＳＩＮＲ情報、受信電力情報、干渉電力情報など）を取得する。具体的には、通信品質算出部１００は、一の移動局端末の通信の確立前の信号などの符号化方式を選択する場合（例えば、セル内の通信確立前の移動局端末の符号化方式を選択する場合）、当該移動局端末を除く、既に通信接続が完了している移動局端末（セル内の通信確立後の移動局端末）に係る参照信号品質情報を取得する。例えば、図２（ａ）に示すように、セルＳ内に既に通信接続が完了している複数の移動局端末Ｔ1〜Ｔｎが存在しており、移動局端末Ｔ０が他セルからセルＳ内に進入したような場面や、セルＳ内の移動局端末Ｔ０の電源がオフ状態からオン状態になったなどの場面において、通信品質算出部１００は、移動局端末Ｔ０を除く、移動局端末Ｔ1〜Ｔｎに係る参照信号品質情報を取得する。
【００２１】
また、例えば、通信品質算出部１００は、一斉報知信号の符号化方式を選択する場合（例えば、全移動局端末に向けた一斉報知信号の符号化方式を選択する場合）、既に通信接続が完了している移動端末（セル内の通信確立後の移動局端末）に係る参照信号品質情報を取得する。例えば、図２（ａ）に示す移動局端末Ｔ1〜Ｔｎに一斉報知信号を送信する場合、通信品質算出部１００は、当該移動局端末Ｔ1〜Ｔｎに係る参照信号品質情報を取得する。
【００２２】
なお、上りリンクにおける信号の符号化方式を選択する場合、符号化方式選択装置１０は、例えば、基地局内の符号化方式選択装置１０以外の装置（非図示）から参照信号品質情報を取得する。即ち、基地局内の符号化方式選択装置１０以外の装置は、移動局端末から送信された参照信号を受信し、参照信号から通信品質を推定して当該移動局端末に係る参照信号品質情報を生成し、符号化方式選択装置１０に出力する。一方、下りリンクにおける信号の符号化方式を選択する場合、符号化方式選択装置１０は、例えば、上記符号化方式選択装置１０以外の装置または移動局端末から参照信号品質情報を取得する。即ち、移動局端末は、上記符号化方式選択装置１０以外の装置から参照信号を受信し、参照信号から通信品質を推定して当該移動局端末に係る参照信号品質情報を生成し、符号化方式選択装置１０に出力する（参照信号品質情報の基礎になる情報を生成して符号化方式選択装置１０以外の装置に出力し、符号化方式選択装置１０以外の装置が当該基礎になる情報から参照信号品質情報を取得して符号化方式選択装置１０に出力してもよい）。また例えば、参照信号を受信した移動局端末は、通信品質の推定に要する情報を符号化方式選択装置１０以外の装置に送信し、符号化方式選択装置１０以外の装置が、通信品質を推定して当該移動局装置に係る参照信号品質情報を生成し、符号化方式選択装置１０に出力してもよい。
【００２３】
なお、通信品質算出部１００は、全システム帯域（以下、全帯域ともいう）に渡る参照信号品質情報が取得できない場合には、一部のシステム帯域（以下、一部の帯域ともいう）の参照信号品質情報を取得してもよい。
【００２４】
通信品質算出部１００は、セル内の複数の移動局端末に係る参照信号品質情報を取得した場合、各参照信号品質情報を参照し、移動端末毎の全帯域の通信品質を算出する。例えば、通信品質算出部１００は、図２（ｂ）に示すように、移動局端末Ｔ1に係る参照信号品質情報を参照し、各参照信号ａ〜ｇの品質から、移動局端末Ｔ1の全帯域の通信品質を算出する。同様に、通信品質算出部１００は、移動局端末Ｔ２〜Ｔｎの全帯域の通信品質を算出する。移動端末毎の全帯域の通信品質を算出した通信品質算出部１００は、当該移動局端末毎の全帯域の通信品質を示す情報（以下、「移動局端末別通信品質情報」という）を記憶部１１０に記憶する。
【００２５】
なお、通信品質算出部１００は、ある端末について、全帯域に渡る参照信号品質情報ではなく一部の帯域に渡る参照信号品質情報を取得した場合には、当該端末の当該一部の帯域の通信品質を算出してもよいし、算出しなくてもよい。
【００２６】
記憶部１１０は、通信品質算出部１００によって算出された移動局端末別通信品質情報を、所定時間、一時記憶する。例えば、記憶部１１０は、図３（ａ）に示すように、最新の所定数前迄の無線フレーム（図３（ａ）においてＸ個の無線フレーム）から算出された移動局端末別通信品質情報を一時記憶する。また、例えば、記憶部１１０は、図３（ｂ）に示すように、最新の所定回数前迄（図３（ｂ）においてＹ回前迄）に算出された移動局端末別通信品質情報を一時記憶してもよい。また、記憶部１１０は、所定時間に代えて所定量、移動局端末別通信品質情報を一時記憶してもよい。例えば、記憶部１１０は、図３（ｃ）に示すように、最新の所定個数迄（図３（ｃ）において、２＋３＋、・・・、１個＝Ｚ個迄）の移動局端末別通信品質情報を一時記憶する。
【００２７】
なお、上記所定時間又は上記所定量は、非図示のパラメータ設定部によって指定することができる。なお、上記所定時間又は上記所定量は、累積分布関数を生成するのに十分な値を設定することが望ましい。
【００２８】
基準通信品質出力部１２０は、記憶部１１０に一時記憶されている、移動局端末別通信品質情報を参照し、通信品質算出部１００によって算出された複数の移動局端末の通信品質を集計し一の通信品質を基準通信品質として出力する。具体的には、基準通信品質出力部１２０は、基準通信品質（一の通信品質）を示す情報（以下、「基準通信品質情報」という）を符号化方式選択部１３０に供給する。
【００２９】
具体的には、累積分布関数生成部１２２は、記憶部１１０に一時記憶されている、移動局端末別通信品質情報を参照し、通信品質算出部１００によって算出された複数の移動局端末の通信品質を確率変数とする累積分布関数（ＣＤＦ：Cumulative Distribution Function）を生成する。図４（ａ）は、累積分布関数生成部１２２によって生成される累積分布関数の一例である。累積分布関数を生成した累積分布関数生成部１２２は、当該累積分布関数を基準通信品質抽出部１２４に供給する。
【００３０】
基準通信品質抽出部１２４は、累積分布関数生成部１２２によって生成された累積分布関数の値が所定の基準値となるときの確率変数である通信品質を基準通信品質として抽出する。なお、上記所定の基準値は、パーセンテージ（％）であって、非図示のパラメータ設定部によって指定することができる。例えば、所定の基準値が１０（％）である場合、基準通信品質抽出部１２４は、図４（ｂ）に示すように、累積分布関数の値の１０％に対応する通信品質を基準通信品質として抽出する。基準通信品質を抽出した基準通信品質抽出部１２４は、当該基準通信品質を示す基準通信品質情報を符号化方式選択部１３０に供給する。
【００３１】
なお、累積分布関数生成部１２２は、所定の命令に応じて、上記累積分布関数を生成し基準通信品質抽出部１２４に供給することが好ましい。所定の命令の一例は、セル内の通信確立前の移動局端末の符号化方式を選択するべき命令、一斉報知信号の符号化方式を選択するべき命令などである。但し、累積分布関数生成部１２２は、所定の命令に代えて所定の周期で、上記累積分布関数を生成し基準通信品質抽出部１２４に供給するようにしてもよい。
【００３２】
累積分布関数生成部１２２が所定の命令に応じて上記累積分布関数を生成し基準通信品質抽出部１２４に供給する場合には、基準通信品質抽出部１２４は、上記累積分布関数を取得したときに、上記基準通信品質を抽出して基準通信品質情報を符号化方式選択部１３０に供給する。
【００３３】
累積分布関数生成部１２２が所定の周期で上記累積分布関数を生成し基準通信品質抽出部１２４に供給する場合には、基準通信品質抽出部１２４は、上記所定の命令に応じて、上記基準通信品質を抽出して基準通信品質情報を符号化方式選択部１３０に供給することが好ましい。当該場合、基準通信品質抽出部１２４は、最新の累積分布関数（最後に取得した累積分布関数）に基づいて基準通信品質を抽出する。なお、基準通信品質抽出部１２４は、上記場合に、所定の命令に変えて所定の周期（累積分布関数生成部１２２が累積分布関数を生成する所定の周期と同一の周期であってもよいし、異なる周期であってもよい）で、上記基準通信品質を抽出して基準通信品質情報を符号化方式選択部１３０に供給するようにしてもよい。
【００３４】
なお、基準通信品質出力部１２０は、記憶部１１０に何も移動局端末別通信品質情報が一時記憶されていない場合、または、統計的に妥当な値を示す累積分布関数を生成するのに十分な量の移動局端末別通信品質情報が一時記憶されていない場合には、基準通信品質情報を符号化方式選択部１３０に供給しない。例えば、図３（ａ）（ｂ）（ｃ）に示すような態様にて移動局端末別通信品質情報を記憶部１１０に一時記憶する場合、初期状態において、記憶部１１０に何も移動局端末別通信品質情報が記憶されていないときは、基準通信品質出力部１２０は、基準通信品質情報を符号化方式選択部１３０に供給しない。また例えば、図３（ａ）に示すような態様にて移動局端末別通信品質情報を記憶部１１０に一時記憶する場合、移動局端末別通信品質情報を算出できなかった無線フレームが多く、記憶部１１０に十分な量の移動局端末別通信品質情報が記憶されていないときは、基準通信品質出力部１２０は、基準通信品質情報を符号化方式選択部１３０に供給しない。
【００３５】
符号化方式選択部１３０は、基準通信品質出力部１２０によって出力された基準通信品質（基準通信品質抽出部１２４によって抽出された基準通信品質）に基づいて、所定の移動局端末（例えば、他セルから当該セル内に進入した通信確立前の移動局端末、一斉報知信号）の符号化方式を選択する。換言すれば、符号化方式選択部１３０は、所定の移動局端末における品質は基準通信品質であると仮定して、基準通信品質に基づいて、所望品質（例えば所望誤り率）を満たすような符号化情報を選択する。符号化方式を選択した符号化方式選択部１３０は、当該符号化方式を示す情報を外部に出力する。
【００３６】
なお、符号化方式選択部１３０は、基準通信品質を得られたかった場合、即ち、記憶部１１０に移動局端末別通信品質情報が一時記憶されていない場合、または、十分な量の移動局端末別通信品質情報が一時記憶されていない場合には、事前設定した符号化情報を出力してもよい。
【００３７】
なお、累積分布関数生成部１２２が所定の命令に応じて累積分布関数を生成し基準通信品質抽出部１２４に供給し、基準通信品質抽出部１２４が累積分布関数を取得したときに基準通信品質を抽出して基準通信品質情報を符号化方式選択部１３０に供給する場合には、符号化方式選択部１３０は、基準通信品質を取得したときに符号化方式を選択することが好ましい。また、累積分布関数生成部１２２が所定の周期で累積分布関数を生成し基準通信品質抽出部１２４に供給し、基準通信品質抽出部１２４が所定の命令に応じて基準通信品質を抽出して基準通信品質情報を符号化方式選択部１３０に供給する場合にも、符号化方式選択部１３０は、基準通信品質を取得したときに符号化方式を選択することが好ましい。
【００３８】
また、累積分布関数生成部１２２が所定の周期で累積分布関数を生成し基準通信品質抽出部１２４に供給し、基準通信品質抽出部１２４が所定の周期で基準通信品質を抽出して基準通信品質情報を符号化方式選択部１３０に供給する場合には、符号化方式選択部１３０は、上記所定の命令に応じて、符号化方式を選択することが好ましい。当該場合、符号化方式選択部１３０は、最新の基準通信品質（最後に取得した基準通信品質情報）に基づいて符号化方式を選択する。
【００３９】
なお、基準通信品質抽出部１２４は、累積分布関数の値が所定の基準値となるときの確率変数である通信品質を基準通信品質として抽出し、当該基準通信品質を示す基準通信品質情報を符号化方式選択部１３０に供給することに代えて、累積分布関数の値が所定の基準値となるときの確率変数である通信品質を抽出し、抽出した通信品質に所定のオフセットを加えた通信品質を基準通信品質として算出し、当該基準通信品質を示す基準通信品質情報を符号化方式選択部１３０に供給してもよい。なお、上記オフセットは、非図示のパラメータ設定部によって指定することができる。
【００４０】
続いて、図５（ａ）を用いて符号化方式選択装置１０の動作を説明する。なお、図５（ａ）に示すフローチャートは、毎無線フレーム、実施する。通信品質算出部１００は、移動端末毎の全帯域の通信品質を算出する（ステップＳ１００）。移動端末毎の全帯域の通信品質を算出した通信品質算出部１００は、当該移動局端末毎の全帯域の通信品質を示す移動局端末別通信品質情報を記憶部１１０に記憶する。なお、通信品質算出部１００は、ある端末について、全帯域に渡る参照信号品質情報ではなく一部の帯域に渡る参照信号品質情報を取得した場合、当該端末の当該一部の帯域の通信品質を算出し、当該通信品質を示す移動局端末別通信品質情報を記憶部１１０に記憶してもよい。
【００４１】
累積分布関数生成部１２２は、外部から所定の命令（セル内の通信確立前の移動局端末の符号化方式を選択するべき命令または一斉報知信号の符号化方式を選択するべき命令）を取得したか否かを判断する（ステップＳ１１０）。累積分布関数生成部１２２は、外部から所定の命令を取得したと判断した場合（ステップＳ１１０：Ｙｅｓ）、記憶部１１０に一時記憶されている移動局端末別通信品質情報を参照し、累積分布関数を生成する（ステップＳ１２０）。累積分布関数を生成した累積分布関数生成部１２２は、当該累積分布関数を基準通信品質抽出部１２４に供給する。
【００４２】
基準通信品質抽出部１２４は、累積分布関数生成部１２２によって生成された累積分布関数の値が所定の基準値となるときの確率変数である通信品質を基準通信品質として抽出する（ステップＳ１３０）。基準通信品質を抽出した基準通信品質抽出部１２４は、当該基準通信品質を示す基準通信品質情報を符号化方式選択部１３０に供給する。なお、基準通信品質抽出部１２４は、累積分布関数の値が所定の基準値となるときの確率変数である通信品質を抽出し、抽出した通信品質に所定のオフセットを加えた通信品質を基準通信品質として算出し、算出した基準通信品質を示す基準通信品質情報を符号化方式選択部１３０に供給してもよい。
【００４３】
符号化方式選択部１３０は、基準通信品質抽出部１２４によって出力された基準通信品質に基づいて、所定の移動局端末（例えば、他セルから当該セル内に進入した通信確立前の移動局端末、一斉報知信号）の符号化方式を選択する（ステップＳ１４０）。符号化方式を選択した符号化方式選択部１３０は、当該符号化方式を示す情報を外部に出力する。そして図５（ａ）に示すフローチャートは終了する。
【００４４】
累積分布関数生成部１２２は、外部から所定の命令を取得していないと判断した場合（ステップＳ１１０：Ｎｏ）、ステップＳ１２０からステップＳ１４０を飛ばして、図５（ａ）に示すフローチャートは終了する。
【００４５】
（第２の実施形態）
以下、本発明の第２の実施形態について図面を参照して説明する。本発明の第２の実施形態による符号化方式選択装置２０は、例えば、移動通信システムの基地局内に設置される。符号化方式選択装置２０は、図１（ｂ）に示すように、通信品質算出部２００、記憶部２１０、基準通信品質出力部２２１および符号化方式選択部２３０を備える。基準通信品質出力部２２１は、基準通信品質算出部２２５を備える。通信品質算出部２００、記憶部２１０および符号化方式選択部２３０は、図１（ａ）に示す符号化方式選択装置１０の通信品質算出部１００、記憶部１１０および符号化方式選択部１３０と同様であるため、説明の一部又は全部を省略する。
【００４６】
基準通信品質算出部２２５は、記憶部２１０に一時記憶されている、移動局端末別通信品質情報を参照し、通信品質算出部２００によって算出された複数の移動局端末の通信品質の平均値を基準通信品質として算出する。基準通信品質を算出した基準通信品質算出２２５は、当該基準通信品質を示す基準通信品質情報を符号化方式選択部２３０に供給する。
【００４７】
なお、基準通信品質算出部２２５は、所定の命令に応じて、上記通信品質の平均値を算出することが好ましい。所定の命令の一例は、セル内の通信確立前の移動局端末の符号化方式を選択するべき命令、一斉報知信号の符号化方式を選択するべき命令などである。但し、基準通信品質算出部２２５は、所定の命令に代えて所定の周期で、上記通信品質の平均値を算出するようにしてもよい。
【００４８】
なお、基準通信品質出力部２２１は、第１の実施形態の基準通信品質出力部１２０と同様、記憶部２１０に何も移動局端末別通信品質情報が一時記憶されていない場合、または、統計的に妥当な値を示す平均値を算出するのに十分な量の移動局端末別通信品質情報が一時記憶されていない場合には、基準通信品質情報を符号化方式選択部２３０に供給しない。また、符号化方式選択部２３０は、第１の実施形態の符号化方式選択部１３０と同様、基準通信品質出力部２２１から基準通信品質を得られたかった場合には、事前設定した符号化情報を出力してもよい。
【００４９】
基準通信品質算出部２２５が所定の命令に応じて平均値を算出し、基準通信品質情報を符号化方式選択部２３０に供給する場合には、符号化方式選択部２３０は、基準通信品質を取得したときに符号化方式を選択することが好ましい。また、基準通信品質算出部２２５が所定の周期で平均値を算出し、基準通信品質情報を符号化方式選択部２３０に供給する場合には、符号化方式選択部２３０は、上記所定の命令に応じて、符号化方式を選択することが好ましい。当該場合、符号化方式選択部２３０は、最新の基準通信品質（最後に取得した基準通信品質情報）に基づいて符号化方式を選択する。
【００５０】
なお、基準通信品質算出部２２５は、通信品質算出部２００によって算出された複数の移動局端末の通信品質の平均値を基準通信品質として算出することに代えて、通信品質算出部２００によって算出された複数の移動局端末の通信品質の平均値を算出し、算出した平均値に所定のオフセットを加えた通信品質を基準通信品質として算出してもよい。なお、上記オフセットは、非図示のパラメータ設定部によって指定することができる。
【００５１】
続いて、図５（ｂ）を用いて符号化方式選択装置２０の動作を説明する。なお、図５（ｂ）に示すフローチャートは、毎無線フレーム、実施する。通信品質算出部２００は、移動端末毎の全帯域の通信品質を算出する（ステップＳ２００）。移動端末毎の全帯域の通信品質を算出した通信品質算出部２００は、当該移動局端末毎の全帯域の通信品質を示す移動局端末別通信品質情報を記憶部２１０に記憶する。なお、通信品質算出部２００は、ある端末について、全帯域に渡る参照信号品質情報ではなく一部の帯域に渡る参照信号品質情報を取得した場合、当該端末の当該一部の帯域の通信品質を算出し、当該通信品質を示す移動局端末別通信品質情報を記憶部２１０に記憶してもよい。
【００５２】
基準通信品質算出部２２５は、外部から所定の命令（セル内の通信確立前の移動局端末の符号化方式を選択するべき命令または一斉報知信号の符号化方式を選択するべき命令）を取得したか否かを判断する（ステップＳ２１０）。基準通信品質算出部２２５は、外部から所定の命令を取得したと判断した場合（ステップＳ２１０：Ｙｅｓ）、記憶部２１０に一時記憶されている移動局端末別通信品質情報を参照し、通信品質算出部２００によって算出された複数の移動局端末の通信品質の平均値を基準通信品質として算出する（ステップＳ２２０）。基準通信品質を算出した基準通信品質算出２２５は、当該基準通信品質を示す基準通信品質情報を符号化方式選択部２３０に供給する。なお、基準通信品質算出部２２５は、複数の移動局端末の通信品質の平均値を算出し、算出した平均値に所定のオフセットを加えた通信品質を基準通信品質として算出し、オフセットを加えて算出した基準通信品質を示す基準通信品質情報を符号化方式選択部２３０に供給してもよい。
【００５３】
符号化方式選択部２３０は、基準通信品質算出２２５によって出力された基準通信品質に基づいて、所定の移動局端末（例えば、他セルから当該セル内に進入した通信確立前の移動局端末、一斉報知信号）の符号化方式を選択する（ステップＳ２４０）。符号化方式を選択した符号化方式選択部２３０は、当該符号化方式を示す情報を外部に出力する。そして図５（ｂ）に示すフローチャートは終了する。
【００５４】
基準通信品質算出部２２５は、外部から所定の命令を取得していないと判断した場合（ステップＳ２１０：Ｎｏ）、ステップＳ２２０からステップＳ２４０を飛ばして、図５（ｂ）に示すフローチャートは終了する。
【００５５】
以上、符号化方式選択装置１０、２０によれば、基地局の新設又は廃止などの無線環境の変化に応じて自動的に通信の確立前の信号や一斉報知信号などの符号化方式を選択できるため、符号化方式の決定のための無線環境の事前測定やシミュレーションが不要となる。従って、基地局の新設又は廃止などの無線環境の変化に伴う、符号化方式の設定のコストを削減することができるようになる。また、通信品質の状況により使用する符号化方式が変わるため、効率よく無線リソースを利用できるため、システム容量の増大につながるという効果も得ることができる。
【００５６】
なお、符号化方式選択装置１０（２０）は、上述の如く、通信確立前の移動局端末の符号化方式を選択する場合には、まず、当該移動局端末を除く、既に通信接続が完了している複数の移動端末に係る参照信号品質情報を取得する。次いで、符号化方式選択装置１０（２０）は、移動端末毎の全帯域の通信品質を算出して移動局端末別通信品質情報として記憶部１１０に記憶する。次いで、符号化方式選択装置１０（２０）は、所定の命令を取得した場合に、記憶部１１０内の移動局端末別通信品質情報から上記複数の移動局端末の通信品質を集計（ＣＤＦまたは平均値）し、基準通信品質を出力する。次いで、符号化方式選択装置１０（２０）は、基準通信品質に基づいて当該移動局端末の符号化方式を選択する。換言すれば、符号化方式選択装置１０（２０）は、移動局端末の符号化方式を選択するべき旨の命令を受け付ける命令受付手段と、命令受付手段によって一の移動局端末の符号化方式を選択するべき旨の命令を受け付けた場合に、一の移動局端末と異なる他の複数の移動局端末の通信品質を集計し基準通信品質として出力する基準通信品質出力手段と、基準通信品質出力手段によって出力された基準通信品質に基づいて、一の移動局端末の符号化方式を選択する符号化方式選択手段とを備える。
【００５７】
なお、符号化方式選択装置２０の基準通信品質算出部２２５は、通信品質算出部２００によって算出された複数の移動局端末の通信品質の平均値を基準通信品質として算出することに代えて、通信品質算出部２００によって算出された複数の移動局端末の通信品質の中央値を基準通信品質として算出してもよい。また、基準通信品質算出部２２５は、通信品質算出部２００によって算出された複数の移動局端末の通信品質の中央値を算出し、算出した中央値に所定のオフセットを加えた通信品質を基準通信品質として算出してもよい。
【００５８】
なお、本発明の一実施形態による符号化方式選択装置１０、２０の各処理を実行するためのプログラムをコンピュータ読み取り可能な記録媒体に記録して、当該記録媒体に記録されたプログラムをコンピュータシステムに読み込ませ、実行することにより、本発明の一実施形態による符号化方式選択装置１０、２０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６０】
以上、この発明の実施形態について図面を参照して詳述してきたが、具体的な構成はこの実施形態に限られるものではなく、この発明の要旨を逸脱しない範囲の設計等も含まれる。
【符号の説明】
【００６１】
１０、２０  符号化方式選択装置  １００  通信品質算出部  １１０  記憶部  １２０  基準通信品質出力部  １２２  累積分布関数生成部  １２４  基準通信品質抽出部  １３０  符号化方式選択部  ２００  通信品質算出部  ２１０  記憶部  ２２１  基準通信品質出力部  ２２５  基準通信品質算出部  ２３０  符号化方式選択部  
【図１】
2011044943.tif 000003
【図２】
2011044943.tif 000004
【図３】
2011044943.tif 000005
【図４】
2011044943.tif 000006
【図５】
2011044943.tif 000007